(57)【要約】【課題】  回転軸の外周面にクラッチニードルが接触するように設けたワンウェイクラッチの片側に、ワンウェイクラッチによって回転軸の回転が伝達される回転部材を設けた場合に、ワンウェイクラッチが回転軸に若干がたつくように取り付けられていても、クラッチニードルが回転軸の外周面に適切に接触されて、回転軸が傾斜して摩耗するのを抑制する。【解決手段】  回転軸11,21の外周面にクラッチニードル31が接触するようにワンウェイクラッチ30を設けると共に、このワンウェイクラッチの片側にワンウェイクラッチと係合されて回転軸の回転が伝達される回転部材10,20を設けるにあたり、ワンウェイクラッチにおける回転部材と反対側の回転軸の外周に抑止部材12,22を設けると共に、ワンウェイクラッチをこの抑止部材に当接するように付勢する付勢手段40を設けた。【選択図】  図３
2012041115.tif 000002
【特許請求の範囲】
【請求項１】
回転軸の外周面にクラッチニードルが接触するようにしてワンウェイクラッチが設けられると共に、このワンウェイクラッチの片側にワンウェイクラッチと係合されて回転軸の回転が伝達される回転部材が設けられてなる回転伝達機構において、上記のワンウェイクラッチにおける回転部材と反対側の回転軸の外周に抑止部材が設けられると共に、上記のワンウェイクラッチをこの抑止部材に当接するように付勢する付勢手段が設けられていることを特徴とする回転伝達機構。
【請求項２】
請求項１に記載の回転伝達機構において、上記の付勢手段として、上記の回転部材とワンウェイクラッチとの間に、ワンウェイクラッチを抑止部材に付勢する付勢部材を設けたことを特徴とする回転伝達機構。
【請求項３】
請求項１に記載の回転伝達機構において、上記の付勢手段として、ワンウェイクラッチと回転部材とを係合させる係合構造を、回転部材の回転に伴ってワンウェイクラッチを抑止部材に付勢する構造にしたことを特徴とする回転伝達機構。
【請求項４】
用紙を給紙させるローラからなる回転部材に回転軸の回転を伝達させるにあたり、請求項１〜請求項３の何れか１項に記載した回転伝達機構を用いたことを特徴とする給紙装置。
【発明の詳細な説明】
【技術分野】
【０００１】
本発明は、回転軸の外周面にクラッチニードルが接触するようにしてワンウェイクラッチが設けられると共に、このワンウェイクラッチの片側にワンウェイクラッチと係合されて回転軸の回転が伝達される回転部材が設けられてなる回転伝達機構及びこのような回転伝達機構を用いた給紙装置に関するものである。特に、上記のワンウェイクラッチが回転軸に若干がたつくようにして取り付けられた場合においても、ワンウェイクラッチに設けられたクラッチニードルが回転軸の外周面に適切に接触されて、回転軸が傾斜して摩耗するのを抑制し、回転軸の回転がワンウェイクラッチにより回転部材に長期にわたって安定して伝達できるようにした点に特徴を有するものである。
【背景技術】
【０００２】
複写機、プリンタ、ファクシミリ及びこれらの複合機等の画像形成装置においては、給紙カセットや原稿トレイにセットされた用紙をピックアップローラと給紙ローラを用いて給紙させるにあたり、例えば、特許文献１〜４等に示されるように、ピックアップローラや給紙ローラの各回転軸にそれぞれワンウェイクラッチを設け、このワンウェイクラッチを介して回転軸の回転をピックアップローラや給紙ローラに伝達させて回転させるようにしたものが用いられている。
【０００３】
ここで、上記のようにピックアップローラや給紙ローラの各回転軸にそれぞれワンウェイクラッチを設け、このワンウェイクラッチを介して回転軸の回転をピックアップローラや給紙ローラに伝達させて回転させるにあたっては、図１に示すように、給紙ローラ１０の回転軸１１とピックアップローラ２０の回転軸２１とに、それぞれ駆動ギア１２，２２をピン１３，２３などにより固定して取り付けると共に、両駆動ギア１２，２２の間に各駆動ギア１２，２２と噛み合うようにして中間ギア１４を設け、給紙ローラ１０の回転軸１１の回転に伴ってピックアップローラ２０の回転軸２１が給紙ローラ１０の回転軸１１と同方向に回転駆動されるようにしている。また、上記の給紙ローラ１０の回転軸１１とピックアップローラ２０の回転軸２１とに、ワンウェイクラッチ３０におけるクラッチニードル３１が各回転軸１１，２１の外周面に接触するようにして、各回転軸１１，２１の外周にそれぞれワンウェイクラッチ３０を設けると共に、各ワンウェイクラッチ３０における上記の各駆動ギア１２，２２と反対側の部分に係合凸部３２を設け、この係合凸部３２を給紙ローラ１０やピックアップローラ２０に設けられた係合凹部１５，２５に係合させ、給紙ローラ１０の回転軸１１やピックアップローラ２０の回転軸２１の回転を、それぞれワンウェイクラッチ３０を介して給紙ローラ１０やピックアップローラ２０に伝達させて、給紙ローラ１０とピックアップローラ２０とを回転させるようにしている。
【０００４】
そして、給紙カセットに収容された用紙を給紙して搬送するにあたっては、図２に示すように、給紙カセット１に収容された用紙Ｐの送り出し方向先端側をバックアップレバー２により持ち上げて、用紙Ｐをピックアップローラ２０に接触させると共に、上記のようにして給紙ローラ１０とピックアップローラ２０とを回転させ、ピックアップローラ２０の回転により最表面の用紙Ｐを引き出して給紙ローラ１０と捌きローラ３との間に導き、この用紙Ｐを給紙ローラ１０の回転によって送りローラ４間に導くようにしている。
【０００５】
また、このように用紙Ｐが送りローラ４間に導かれ、この送りローラ４の回転によって用紙Ｐが搬送されるようになると、上記の給紙ローラ１０の回転軸１１及びピックアップローラ２０の回転軸２１の回転を停止させるようにする。
【０００６】
そして、このように給紙ローラ１０やピックアップローラ２０の回転軸１１，２１の回転が停止された状態であっても、上記の各ワンウェイクラッチ３０により、給紙ローラ１０やピックアップローラ２０がそれぞれワンウェイクラッチ３０と一緒に回転されるようになり、上記の送りローラ４によって搬送される用紙Ｐに伴って給紙ローラ１０やピックアップローラ２０が回転し、送りローラ４によって搬送される用紙Ｐに負荷が加わるのが抑制されるようになる。
【０００７】
ここで、上記のように給紙ローラ１０の回転軸１１やピックアップローラ２０の回転軸２１に各ワンウェイクラッチ３０を設け、各ワンウェイクラッチ３０に設けられた係合凸部３２を給紙ローラ１０やピックアップローラ２０に設けられた係合凹部１５，２５に係合させる場合、特許文献３等に示されるように、一般に組立性等を考慮して、各ワンウェイクラッチ３０が各回転軸１１，２１に若干がたつくようにして取り付けられている。
【０００８】
しかし、このように各ワンウェイクラッチ３０が各回転軸１１，２１に若干がたつくようにして取り付けられた場合、ワンウェイクラッチ３０に設けられたクラッチニードル３１が各回転軸１１，２１の外周面に均一に接触されなくなり、上記のように各回転軸１１，２１が止まった状態で、給紙ローラ１０やピックアップローラ２０がそれぞれワンウェイクラッチ３０と一緒に回転した場合、クラッチニードル３１の不均一な接触により、給紙ローラ１０やピックアップローラ２０における各回転軸１１，２１に傾斜した摩耗が生じるようになる。
【０００９】
そして、このように給紙ローラ１０やピックアップローラ２０における各回転軸１１，２１に傾斜した摩耗が生じると、ワンウェイクラッチ３０に過剰の負荷が加わったり、ワンウェイクラッチ３０におけるクラッチニードル３１が各回転軸１１，２１の外周面に適切に接触されなくなり、各回転軸１１，２１の回転を、ワンウェイクラッチ３０によって給紙ローラ１０やピックアップローラ２０に適切に伝達することができなくなったりするという問題が生じた。
【先行技術文献】
【特許文献】
【００１０】
【特許文献１】特開２００７−１４５５４３号公報
【特許文献２】特開２０１０−７６９１２号公報
【特許文献３】特開２００１−３１５９８６号公報
【特許文献４】特開２００６−７６６８１号公報
【発明の概要】
【発明が解決しようとする課題】
【００１１】
本発明は、回転軸の外周面にクラッチニードルが接触するようにしてワンウェイクラッチが設けられると共に、このワンウェイクラッチの片側にワンウェイクラッチと係合されて回転軸の回転が伝達される回転部材が設けられてなる回転伝達機構において、ワンウェイクラッチが回転軸に若干がたつくようにして取り付けられた場合においても、ワンウェイクラッチに設けられたクラッチニードルが回転軸の外周面に適切に接触されるようにして、回転軸が傾斜して摩耗するのを抑制し、回転軸の回転がワンウェイクラッチによって回転部材に長期にわたって安定して伝達されるようにすることを課題とするものである。
【課題を解決するための手段】
【００１２】
本発明においては、上記のような課題を解決するため、回転軸の外周面にクラッチニードルが接触するようにしてワンウェイクラッチが設けられると共に、このワンウェイクラッチの片側にワンウェイクラッチと係合されて回転軸の回転が伝達される回転部材が設けられてなる回転伝達機構において、上記のワンウェイクラッチにおける回転部材と反対側の回転軸の外周に抑止部材を設けると共に、上記のワンウェイクラッチをこの抑止部材に当接するように付勢する付勢手段を設けた。
【００１３】
ここで、上記のようにワンウェイクラッチを抑止部材に当接するように付勢する付勢手段を設けるにあたっては、回転部材とワンウェイクラッチとの間に、ワンウェイクラッチを抑止部材に付勢する付勢部材を設けるようにしたり、ワンウェイクラッチと回転部材とを係合させる係合構造を、回転部材の回転に伴ってワンウェイクラッチを抑止部材に付勢する構造にしたりすることができる。
【００１４】
また、本発明の給紙装置においては、用紙を給紙させるローラからなる回転部材に回転軸の回転を伝達させるにあたり、上記のような回転伝達機構を用いるようにした。
【発明の効果】
【００１５】
本発明の回転伝達機構においては、回転軸の外周面にクラッチニードルが接触するようにしてワンウェイクラッチを設けると共に、このワンウェイクラッチの片側にワンウェイクラッチと係合するように回転部材を設け、ワンウェイクラッチを介して回転軸の回転を回転部材に伝達させるにあたり、ワンウェイクラッチにおける回転部材と反対側の回転軸の外周に抑止部材を設け、ワンウェイクラッチをこの抑止部材に当接するように付勢手段により付勢するようにしたため、ワンウェイクラッチが回転軸に若干がたつくようにして取り付けられた場合においても、ワンウェイクラッチが付勢手段により付勢されて抑止部材に当接された状態で維持され、ワンウェイクラッチが傾いたりするのが防止されるようになる。
【００１６】
この結果、本発明の回転伝達機構においては、ワンウェイクラッチが回転軸に若干がたつくようにして取り付けられた場合においても、ワンウェイクラッチに設けられたクラッチニードルが回転軸の外周面に均一に接触された状態で維持され、回転軸に傾斜した摩耗が生じるのが防止され、従来のように、ワンウェイクラッチに過剰の負荷が加わったり、ワンウェイクラッチのクラッチニードルが回転軸の外周面に適切に接触されなくなったりするということがなく、回転軸の回転がワンウェイクラッチによって回転部材に長期にわたって安定して伝達されるようになる。
【００１７】
また、このような回転伝達機構を用いて、用紙を給紙させるローラからなる回転部材に回転軸の回転を伝達させるようにした給紙装置においては、長期にわたって安定した給紙が行えるようになる。
【図面の簡単な説明】
【００１８】
【図１】給紙カセットに収容された用紙を給紙して搬送する給紙装置において、ピックアップローラや給紙ローラにおける回転軸の回転を、ワンウェイクラッチを介してピックアップローラや給紙ローラに伝達させる従来例の回転伝達機構を示した概略断面説明図である。
【図２】給紙カセットに収容された用紙を給紙して搬送する給紙装置を示した概略説明図である。
【図３】本発明の実施形態に係る回転伝達機構を給紙カセットに収容された用紙を給紙して搬送する給紙装置に用い、ピックアップローラや給紙ローラにおける回転軸の回転を、ワンウェイクラッチを介してピックアップローラや給紙ローラに伝達させる状態を示した概略断面説明図である。
【図４】上記の実施形態における回転伝達機構において、ワンウェイクラッチを抑止部材に当接するように付勢する付勢手段を変更させた変更例の概略説明図である。
【発明を実施するための形態】
【００１９】
この発明の実施形態に係る回転伝達機構及びこの回転伝達機構を用いた給紙装置を添付図面に基づいて具体的に説明する。なお、本発明に係る回転伝達機構等は、下記の実施形態に示したものに限定されず、その要旨を変更しない範囲において適宜変更して実施できるものである。
【００２０】
この実施形態の回転伝達機構においても、図３に示すように、前記の図１に示すものと同様に、給紙ローラ１０の回転軸１１とピックアップローラ２０の回転軸２１とに、それぞれ駆動ギア１２，２２をピン１３，２３などにより固定して取り付けると共に、両駆動ギア１２，２２の間に各駆動ギア１２，２２と噛み合うようにして中間ギア１４を設け、給紙ローラ１０の回転軸１１の回転に伴って、ピックアップローラ２０の回転軸２１が給紙ローラ１０の回転軸１１と同方向に回転駆動されるようにしている。
【００２１】
また、上記の給紙ローラ１０の回転軸１１とピックアップローラ２０の回転軸２１とに、それぞれワンウェイクラッチ３０におけるクラッチニードル３１が各回転軸１１，２１の外周面に接触するようにして、各回転軸１１，２１の外周にそれぞれワンウェイクラッチ３０を設けると共に、各ワンウェイクラッチ３０における上記の各駆動ギア１２，２２と反対側の部分に係合凸部３２を設け、この係合凸部３２を給紙ローラ１０やピックアップローラ２０に設けられた係合凹部１５，２５に係合させ、給紙ローラ１０の回転軸１１やピックアップローラ２０の回転軸２１の回転を、それぞれワンウェイクラッチ３０を介して給紙ローラ１０やピックアップローラ２０に伝達させて、給紙ローラ１０とピックアップローラ２０とを回転させるようにしている。
【００２２】
そして、この実施形態のものにおいても、図２に示すように、給紙カセット１に収容された用紙Ｐの送り出し方向先端側をバックアップレバー２により持ち上げて、用紙Ｐをピックアップローラ２０に接触させると共に、上記のように給紙ローラ１０とピックアップローラ２０とを回転させ、ピックアップローラ２０の回転により最表面の用紙Ｐを引き出して給紙ローラ１０と捌きローラ３との間に導き、この用紙Ｐを給紙ローラ１０の回転によって対になった送りローラ４間に導くようにしている。
【００２３】
また、このように用紙Ｐが送りローラ４間に導かれ、この送りローラ４の回転によって用紙Ｐが搬送されるようになると、上記の給紙ローラ１０の回転軸１１及びピックアップローラ２０の回転軸２１の回転を停止させ、前記のように各回転軸１１，２１が止まった状態でも、各ワンウェイクラッチ３０により、上記の送りローラ４によって搬送される用紙Ｐに伴い、給紙ローラ１０やピックアップローラ２０がそれぞれワンウェイクラッチ３０と一緒に回転して、送りローラ４によって搬送される用紙Ｐに負荷が加わるのを抑制するようにしている。
【００２４】
ここで、この実施形態の回転伝達機構においては、上記の給紙ローラ１０とその回転軸１１に設けられたワンウェイクラッチ３０との間、及びピックアップローラ２０とその回転軸２１に設けられたワンウェイクラッチ３０との間に、それぞれ付勢部材として圧縮コイルバネ４０を設けている。なお、給紙ローラ１０やピックアップローラ２０の各回転軸１１，２１においては、ワンウェイクラッチ３０と反対側における給紙ローラ１０やピックアップローラ２０の端部に、給紙ローラ１０やピックアップローラ２０の移動を抑止する止め部材１６，２６を設けている。
【００２５】
そして、上記のように設けた各圧縮コイルバネ４０により、給紙ローラ１０の回転軸１１に設けられたワンウェイクラッチ３０を、この回転軸１１に上記のようにピン１３で固定された駆動ギア１２からなる抑止部材に付勢すると共に、ピックアップローラ２０の回転軸２１に設けられたワンウェイクラッチ３０を、この回転軸２１に上記のようにピン２３で固定された駆動ギア２２からなる抑止部材に付勢するようにしている。
【００２６】
このようにすると、各ワンウェイクラッチ３０が各回転軸１１，２１に若干がたつくようにして取り付けられた場合においても、各ワンウェイクラッチ３０がそれぞれ圧縮コイルバネ４０により各回転軸１１，２１に固定して設けられた駆動ギア１２，２２に押し付けられて、各ワンウェイクラッチ３０が傾いたりすることなく一定した状態で維持されるようになる。
【００２７】
このため、各ワンウェイクラッチ３０に設けられたクラッチニードル３１が各回転軸１１，２１の外周面に均一に接触された状態で維持されるようになり、前記のように各回転軸１１，２１が止まった状態で、送りローラ４によって搬送される用紙Ｐにより、給紙ローラ１０やピックアップローラ２０がそれぞれワンウェイクラッチ３０と一緒に回転する場合に、給紙ローラ１０やピックアップローラ２０における各回転軸１１，２１に傾斜した摩耗が生じるのが防止されるようになる。
【００２８】
この結果、この実施形態における回転伝達機構においては、従来のように、ワンウェイクラッチ３０に過剰の負荷が加わったり、各ワンウェイクラッチ３０におけるクラッチニードル３１が各回転軸１１，２１の外周面に適切に接触されなくなるというこがなくなり、それぞれの回転軸１１，２１の回転が、各ワンウェイクラッチ３０により給紙ローラ１０やピックアップローラ２０に長期にわたって安定して伝達されるようになり、長期にわたって安定した給紙が行えるようになる。
【００２９】
ここで、この実施形態の回転伝達機構においては、各ワンウェイクラッチ３０を、給紙ローラ１０やピックアップローラ２０の各回転軸１１，２１に固定された駆動ギア１２，２２にそれぞれ圧縮コイルバネ４０により付勢させるようにしたが、各ワンウェイクラッチ３０を給紙ローラ１０やピックアップローラ２０の回転軸１１，２１に固定された駆動ギア１２，２２に付勢させる付勢手段はこのようなものに限定されない。
【００３０】
例えば、図４に示すように、各回転軸１１，２１に設けられたワンウェイクラッチ３０における係合凸部３２を、給紙ローラ１０やピックアップローラ２０に向けてテーパー状に収縮した台形状に形成する一方、この係合凸部３２と係合する給紙ローラ１０やピックアップローラ２０における係合凹部１５，２５をワンウェイクラッチ３０に向けてテーパー状に拡がった台形状に形成し、給紙ローラ１０やピックアップローラ２０が回転する場合に、ワンウェイクラッチ３０における台形状になった係合凸部３２が、給紙ローラ１０やピックアップローラ２０に設けられた台形状になった係合凹部１５，２５の傾斜面に押されて、ワンウェイクラッチ３０が給紙ローラ１０やピックアップローラ２０の各回転軸１１，２１に固定された駆動ギア１２，２２に付勢されるようにすることも可能である。
【００３１】
また、この実施形態の回転伝達機構においては、給紙カセット１に収容された用紙Ｐを給紙して搬送するのに用いる給紙ローラ１０やピックアップローラ２０に利用するようにしたが、この発明の回転伝達機構の用途はこのようなものに限定されず、原稿トレイにセットされた用紙を給紙して搬送する給紙装置に利用したり、その他の用途に用いることも可能である。
【符号の説明】
【００３２】
１  給紙カセット
２  バックアップレバー
３  捌きローラ
４  送りローラ
１０  給紙ローラ
１１  回転軸
１２  駆動ギア（抑止部材）
１３  ピン
１４  中間ギア
１５  係合凹部
１６  止め部材
２０  ピックアップローラ
２１  回転軸
２２  駆動ギア（抑止部材）
２３  ピン
２５  係合凹部
２６  止め部材
３０  ワンウェイクラッチ
３１  クラッチニードル
３２  係合凸部
４０  圧縮コイルバネ（付勢部材）
Ｐ  用紙
【図１】
2012041115.tif 000003
【図２】
2012041115.tif 000004
【図３】
2012041115.tif 000005
【図４】
2012041115.tif 000006